(57)【要約】【課題】スライダーや端部を固定していないファスナーであってもファスナーの位置合わせが極めて容易になり、マチ部を有する袋に設けられたファスナーでも着脱を容易にすることができるファスナー付き袋を提供する。【解決手段】凹条体６Ａがわの固定体７が突条体６Ｂがわの固定体７に接合されたときに、ファスナー６の凹条体６Ａと突条体６Ｂとが相対する位置になるように設ける。袋体の前後面部１,２の上端縁適位置から上方に突出し、前記ファスナー６の開口時に指でつまむ一対の摘み片９を設ける。固定体７とファスナー６とが一直線状に接合されるように設ける。前記左右側面部３,４の開口上端縁３Ｂを、前記固定体７とファスナー６とが一直線状に接合された位置の直近下方に位置するように設ける。前後面部１,２の外側面に、一対の手提げ部８を設ける。【選択図】図１
0003132904.tif 000002
【実用新案登録請求の範囲】
【請求項１】
マチ部を設けた左右側面部と、前後面部と、底面部とで合成樹脂製の袋体を形成し、前後面部の各内側に沿って配設された凹条体と突条体とからなるファスナーを有する収納袋において、凹条体及び突条体の各長手両端部にそれぞれ固定体を設け、前後面部で対向する固定体がそれぞれ接合されたときに、ファスナーの凹条体と突条体とが相対する位置になるように設けられたことを特徴とするファスナー付き袋。
【請求項２】
前記固定体は、前後面部が対向する位置に嵌合突部と嵌合凹部とが設けられ、これら嵌合突部と嵌合凹部とが嵌合されたときに、前記ファスナーの凹条体と突条体とが相対する位置になるように設けられた請求項１記載のファスナー付き袋。
【請求項３】
前記前後面部の上端縁適位置から上方に突出し、前記ファスナーの開口時に指でつまむ一対の摘み片を設けた請求項１又は２記載のファスナー付き袋。
【請求項４】
前記固定体は前記前後面部の長手端部に設けられ、前記ファスナーは各固定体の間に設けられ、該固定体とファスナーとが一直線状に接合されるように設けられ、前記左右側面部の開口上端縁は、前記固定体とファスナーとが一直線状に接合された位置の直近下方に位置するように設けられた請求項１乃至３いずれか記載のファスナー付き袋。
【請求項５】
前記前後面部の外側面に、一対の手提げ部が設けられた請求項１乃至４いずれか記載のファスナー付き袋。
【考案の詳細な説明】
【技術分野】
【０００１】
本考案は、たとえば、各種商品の販売用、保存用、プレゼント用として使用するのに好適なファスナー付き袋に関するものである。
【背景技術】
【０００２】
合成樹脂製の袋に設けられる開閉自在なファスナーは、特許文献１に記載されている如く、開口部の一側面に沿って配された凹条体に、開口部の他側面に配した突条体を嵌合する構造を成している。利用者は、この凹条体と突条体とを手指にて嵌合し、あるいは引き離すことで、袋を開閉するものである。
【０００３】
また、このようなファスナーの開閉操作を容易にするために、スライダーを設けたスライドファスナーの例が、特許文献２及び３などに記載されている。これらのスライドファスナーは、いずれもファスナーの一端を閉じた状態にすると共に、この端部にスライダーを装着したもので、ファスナーに沿ってスライダーを操作することで、前記凹条体と突条体とを嵌合し、ファスナーの開閉を更に容易にするものである。
【特許文献１】実公昭５０−４０７２７号公報
【特許文献２】実用新案登録第２５１６９１７号公報
【特許文献３】特開２００４−１２３２３６号公報
【考案の開示】
【考案が解決しようとする課題】
【０００４】
特許文献１に示されるファスナーは、合成樹脂製袋の密封性を高めるために装着されるものであった。そのため、ファスナーの両端部は予め閉じた状態で設けられ、ファスナーが閉じられると密封状態になるものである。ところが、ファスナー開口時においても、このファスナーの両端部が閉じているので、ファスナーを広く開けることができない不都合があった。
【０００５】
一方、特許文献２及び３に示されるファスナーでは、ファスナーの一端を開放する構造を採用することにより、より多くの用途に使用する目的で設けられている。ところが、特許文献２及び特許文献３の例で示される袋では、少なくとも、ファスナーの一端部を開放できても、残る一端部は、必ず閉じた状態にする必要があるので、たとえ側面にマチ部を設けて開口部を広くした収納袋であっても、開口部が十分に開かない不都合が生じていた。すなわち、ファスナーの一方を開放することはできても、予めスライダーを装着しておく側の端部は開放することができないのである。仮に、ファスナーの両端部を開放した場合は、ファスナーの端部からスライダーが外れて再使用が困難になる不都合が生じる。
【０００６】
また、ファスナーにスライダーを装着しない場合は、ファスナーの両端部を開放することが可能になる。ところが、スライダーがないので、ファスナーの位置合わせを手指で行わなければならず、面倒な手間が生じることになる。しかも、側面にマチ部を設けた袋の場合、袋の前後面部に設けられたファスナーは、袋開口時に大きく離れた状態になるので、ファスナーの位置合わせ作業が一段と困難になるものである。
【０００７】
そこで本考案は、上述の課題を解消すべく案出されたもので、スライダーや端部を固定していないファスナーであってもファスナーの位置合わせが極めて容易になり、マチ部を有する袋に設けられたファスナーでも手指の操作で着脱を容易にすることができるファスナー付き袋の提供を目的とするものである。
【課題を解決するための手段】
【０００８】
本考案の第１の手段は、マチ部３Ａを設けた左右側面部３,４と、前後面部１,２と、底面部５とで合成樹脂製の袋体を形成し、前後面部１,２の各内側に沿って配設された凹条体６Ａと突条体６Ｂとからなるファスナー６を有する収納袋において、凹条体６Ａ及び突条体６Ｂの各長手両端部にそれぞれ固定体７を設け、前後面部１,２で対向する固定体７がそれぞれ接合されたときに、ファスナー６の凹条体６Ａと突条体６Ｂとが相対する位置になるように設けられたことにある。
【０００９】
第２の手段の前記固定体７は、前後面部１,２が対向する位置に嵌合突部７Ａと嵌合凹部７Ｂとが設けられ、これら嵌合突部７Ａと嵌合凹部７Ｂとが嵌合されたときに、前記ファスナー６の凹条体６Ａと突条体６Ｂとが相対する位置になるように設けている。
【００１０】
第３の手段は、前記前後面部１,２の上端縁適位置から上方に突出し、前記ファスナー６の開口時に指でつまむ一対の摘み片９を設けたものである。
【００１１】
第４の手段において、前記固定体７は前記前後面部１,２の長手端部に設けられ、前記ファスナー６は各固定体７の間に設けられ、該固定体７とファスナー６とが一直線状に接合されるように設けられ、前記左右側面部３,４の開口上端縁３Ｂは、前記固定体７とファスナー６とが一直線状に接合された位置の直近下方に位置するように設けている。
【００１２】
第５の手段は、前記前後面部１,２の外側面に、一対の手提げ部８を設けたことを課題解消のための手段とする。
【考案の効果】
【００１３】
本考案の請求項１の如く、凹条体６Ａ及び突条体６Ｂの各両端部に、それぞれ接合自在な固定体７を設け、これらの固定体７が接合されたときにファスナー６の凹条体６Ａと突条体６Ｂとが相対するように設けたことにより、マチ部３Ａを有する袋の前後面部１,２に、スライダーや端部を固定していないファスナー６を設けていても、ファスナー６の位置合わせが極めて容易になり、手指の操作でもファスナー６の着脱を容易にすることができる。
【００１４】
しかも、ファスナー６は、マチ部３Ａを有する袋の前後面部１,２に設けているので、嵌合状態にあるファスナー６を開放すると、袋の開口部をマチ部３Ａに沿って収納袋を最大限に開口させることができるものである。この結果、従来のスライダーを備えたファスナーのように、ファスナーのいずれか一方の端部が必ず閉じた状態にならざるを得ないといった不都合は解消された。
【００１５】
また、請求項２のように、固定体７の嵌合突部７Ａと嵌合凹部７Ｂとを嵌合したときに、前記ファスナー６の凹条体６Ａと突条体６Ｂとが相対する位置になるので、固定体７を固定した後は、ファスナー６を両側から指で押圧するだけで、凹条体６Ａと突条体６Ｂとが極めて簡単に嵌合させることができる。したがって、従来のスライダーを備えなくとも、ファスナー６の嵌合操作を極めて容易に行うことができるものである。
【００１６】
更に、請求項３の如く、前記前後面部１,２の上端縁適位置から上方に突出し、前記ファスナー６の開口時に指でつまむ一対の摘み片９を設けているので、前記ファスナー６を開口する際に、この摘み片９を指でつまむことで、ファスナー６の開口操作を容易にすることができる。
【００１７】
更に、請求項４により、固定体７とファスナー６とが一直線状に接合されるので、これらファスナー６と固定体７との嵌合力が一体になり、開口部を強力に封止する相乗効果が得られる。
【００１８】
しかも、左右側面部３,４の開口上端縁３Ｂを、前記固定体７とファスナー６とが一直線状に接合された位置の直近下方に位置するように設けたことで、ファスナー６嵌合時には、左右側面部３,４のマチ部３Ａが前後面部１,２の内側に重なり合い、マチ部３Ａの開口部分を有効に封止することが可能になる。
【００１９】
請求項５に記載の手提げ部８により、本考案収納袋を手提げ袋として利用することが可能になる。
【００２０】
このように、本考案によると、スライダーや端部を固定していないファスナーであってもファスナーの位置合わせが極めて容易になり、マチ部を有する袋に設けられたファスナーでも手指の操作で着脱を容易にすることができるなどといった実用上有益な種々の効果を奏するものである。
【考案を実施するための最良の形態】
【００２１】
本考案の最良の形態は、マチ部３Ａを設けた左右側面部３,４と、前後面部１,２と、底面部５とで合成樹脂製の袋体を構成する。前後面部１,２の内側に沿って凹条体６Ａと突条体６Ｂとからなるファスナー６を設けた収納袋を設ける。凹条体６Ａ及び突条体６Ｂの各両端部にそれぞれ接合自在な固定体７を設ける。凹条体６Ａがわの固定体７が突条体６Ｂがわの固定体７に接合されたときに、ファスナー６の凹条体６Ａと突条体６Ｂとが相対する位置になるように設ける。固定体７の嵌合突部７Ａと嵌合凹部７Ｂとが嵌合したときに、前記ファスナー６の凹条体６Ａと突条体６Ｂとが相対する位置になるように設ける。前後面部１,２の上端縁長手中央適位置に、摘み片９を設ける。固定体７とファスナー６とが一直線状に接合されるように設ける。前記左右側面部３,４の開口上端縁３Ｂを、前記固定体７とファスナー６とが一直線状に接合された位置の直近下方に位置するように設ける。前後面部１,２の外側面に、一対の手提げ部８を設けることで、当初の目的を達成するものである。
【実施例】
【００２２】
本考案収納袋は、前後面部１,２と、左右側面部３,４と、底面部５とで構成され、この左右側面部３,４に、マチ部３Ａが設けられた、所謂、ガゼット袋と称する合成樹脂製の袋体から成るものである。そして、この袋体の前後面部１,２の内側に沿って凹条体６Ａと突条体６Ｂとからなるファスナー６を設けている。
【００２３】
ファスナー６の長手両端部、すなわち、凹条体６Ａ及び突条体６Ｂの各長手両端部にそれぞれ接合自在な固定体７を設ける。この固定体７は、凹条体６Ａと突条体６Ｂとを嵌合する操作の補助をするもので、凹条体６Ａがわの固定体７が、この固定体７と対向する突条体６Ｂがわの固定体７に接合されたときに、ファスナー６の凹条体６Ａと突条体６Ｂとが相対する位置になるように設けられている。
【００２４】
すなわち、固定体７は、嵌合突部７Ａと嵌合凹部７Ｂとが対向する位置に設けられている。図示例では、対向する固定体７の一方に４個の嵌合突部７Ａを突設し、他方に４個の嵌合凹部７Ｂを凹設したもので、これら４個の嵌合突部７Ａを嵌合凹部７Ｂに嵌合したときに前記ファスナー６の凹条体６Ａと突条体６Ｂとが相対する位置になるように設けている。これらの嵌合突部７Ａや嵌合凹部７Ｂはできるだけ浅く嵌合するように設け、その代わり、嵌合突部７Ａや嵌合凹部７Ｂの数を複数個設けることにより、強力な嵌合力を有しながら、開放操作を容易にすることができるものである。もっとも、固定体７の嵌合突部７Ａ嵌合凹部７Ｂの数や形状などは、自由に変更できるもので、例えばスナップ状の固定体７を設けたり、面ファスナーや磁石等を利用した固定体７を設けたりすることも可能である。
【００２５】
また、固定体７は前記前後面部１,２の内側端部に設けられ、前記ファスナー６は各固定体７の間に設けられている。この結果、固定体７とファスナー６とを嵌合すると、これら固定体７とファスナー６とが一直線状に接合されるものである。
【００２６】
本考案収納袋の開口部を閉じると、左右側面部３,４は、マチ部３Ａによって前後面部１,２の内側に折りたたまれるものである。このとき、左右側面部３,４の開口上端縁３Ｂは、前記固定体７とファスナー６とが一直線状に接合された位置の直近下方に位置するように設けられている。
【００２７】
前後面部１、２の上端縁には、摘み片９を設けている。この摘み片９は、ファスナー６を開口する際に、指でつまんでファスナー６を広げる部材で、前後面部１、２の外側面長手中央適位置に設けている。図４では、前後面部１、２の上端縁の長手中央適位置にそれぞれ突設した摘み片９が一部重ならないように互い違いに配置しているさ。この摘み片９によると、両方の摘み片９を同時につまむことが容易になる。また、図５に示す摘み片９は、一方の固定体７に近接して一対設けたものである。このように、摘み片９の位置や形状、サイズなどは、ファスナー６の開口を補助できるものであればよく、図示例に限定されるものではない。
【００２８】
そして、前後面部１,２の外側面に、一対の手提げ部８を設けている。図示の手提げ部８は、前後面部１,２の外側面に沿って接合している。したがって、ファスナー６を閉じる際は、固定体７を嵌合した後、この手提げ部８の外側を押圧することで、凹条体６Ａと突条体６Ｂとを容易に嵌合させることができるものである。図示例では、プラスチック等の合成樹脂材を使用して略ハート形状の手提げ部８（図２参照）やリボン状の手提げ部８（図４参照）、あるいはごくシンプルな紐状の手提げ部８（図５参照）などを示している。また、手提げ部８のデザインやサイズ、材質などは任意に変更できるものである。
【００２９】
また、図示例の各構成は、本考案の一実施例に過ぎず、収納袋や固定体７、ファスナー６等の寸法やデザイン、形状の変更などは任意に選択できるもので、本考案の要旨を変更しない範囲において自由に変更することができるものである。
【図面の簡単な説明】
【００３０】
【図１】本考案の一実施例を示す斜視図である。
【図２】本考案の固定体とファスナーとを閉じた状態を示す斜視図である。
【図３】本考案の固定体とファスナーとを示す要部拡大斜視図である。
【図４】本考案の手提げ部の他の実施例を示す側面図である。
【図５】本考案の手提げ部の他の実施例を示す側面図である。
【符号の説明】
【００３１】
１  前面部
２  後面部
３  左側面部
３Ａ  マチ部
３Ｂ  開口上端縁
４  右側面部
５  底面部
６  ファスナー
６Ａ  凹条体
６Ｂ  突条体
７  固定体
７Ａ  嵌合突部
７Ｂ  嵌合凹部
８  手提げ部
９  摘み片
【図１】
0003132904.tif 000003
【図２】
0003132904.tif 000004
【図３】
0003132904.tif 000005
【図４】
0003132904.tif 000006
【図５】
0003132904.tif 000007